(57)【要約】【課題】現場での施工工数を少なくでき、部品数も少なく、施工も容易な、より改良された現場打ち中空コンクリートスラブを得る。【解決手段】埋込材２０の上面と上端筋１４との間に埋込材２０への差し込み体３２を備えたスペーサ兼支持具３０を介在させる。埋込材２０はスペーサ兼支持具３０の差し込み体３２が差し込まれることにより、水平方向の自由移動は阻止された状態となり、かつ、スペーサ兼支持具３０により浮き上がりも規制されて、所定位置に容易に位置決めがなされる。【選択図】  図２
2005016078.tif 000002
【特許請求の範囲】
【請求項１】
施工現場で型枠の上に少なくとも下端筋と埋込材と上端筋とを配置した状態で現場打ちコンクリートを打設して構築される現場打ち中空コンクリートスラブであって、埋込材の上面と上端筋との間には埋込材への差し込み体を備えたスペーサ兼支持具が介在しており、埋込材は該スペーサ兼支持具の差し込み体が差し込まれると共にスペーサ兼支持具により浮き上がりが規制されていることを特徴とする現場打ち中空コンクリートスラブ。
【請求項２】
埋込材の上面側には２本以上の上端筋が位置しており、埋込材の上面と上端筋との間には同一の鉄筋には支承されない少なくとも２個以上のスペーサ兼支持具が介在していることを特徴とする請求項１に記載の中空コンクリートスラブ。
【請求項３】
施工現場で型枠の上に少なくとも下端筋と埋込材と上端筋とを配置した状態で現場打ちコンクリートを打設して構築される現場打ち中空コンクリートスラブの施工方法であって、埋込材の上面と上端筋との間に埋込材への差し込み体を備えたスペーサ兼支持具をその差し込み体を埋込材へ差し込んだ状態で介在させ、それにより、現場打ちコンクリートによる浮力が作用しても、埋込材の浮き上がりは規制を受け、かつスペーサ兼支持具との間で相対移動が生じないようにした後、現場打ちコンクリートを打設することを特徴とする現場打ち中空コンクリートスラブの施工方法。
【請求項４】
埋込材の上面側に２本以上の上端筋を位置させ、埋込材の上面と上端筋との間には同一の鉄筋には支承されない少なくとも２個以上のスペーサ兼支持具を介在させた状態として、現場打ちコンクリートを打設することを特徴とする請求項３に記載の現場打ち中空コンクリートスラブの施工方法。
【請求項５】
現場打ちコンクリートの浮力を受けても埋込材に浮き上がりが生じないようにスペーサ兼支持具を介在させた状態で現場打ちコンクリートを打設することを特徴とする請求項３または４に記載の現場打ち中空コンクリートスラブの施工方法。
【請求項６】
現場打ちコンクリートの浮力を受けたとき埋込材は所定距離浮き上がり、その後に埋込材の位置決めがなされるようにしてスペーサ兼支持具を介在させた状態で現場打ちコンクリートを打設することを特徴とする請求項３または４に記載の現場打ち中空コンクリートスラブの施工方法。
【請求項７】
埋込材表面に衝接する基板と、基板裏面に立設した埋込材への差し込み体と、基板上面に取り付けた上端筋当接体とを少なくとも備えることを特徴とする中空コンクリートスラブ用スペーサ兼支持具。
【請求項８】
上端筋当接体は上端筋への吊り下げ具を備えることを特徴とする請求項７に記載の中空コンクリートスラブ用スペーサ兼支持具。
【発明の詳細な説明】
【０００１】
【発明の属する技術分野】
本発明は、現場打ち中空コンクリートスラブとその施工方法、およびそこに用いるスペーサ兼支持具に関する。
【０００２】
【従来の技術】
現場打ち中空コンクリートスラブは、施工現場に型枠を建て込み、その上に下端筋と埋込材と上端筋などを配置した後、現場打ちコンクリートを打設してコンクリートの硬化を待ち、硬化後に型枠を取り外すことによって構築される。この施工方法は、プレキャストコンクリート板（ＰＣ板）に埋込材と必要な配筋を取り付けた中空コンクリート基板を工場で製造し、それを施工現場に持ち込んで躯体のスパン間に設置した後、現場打ちコンクリートを打設するようにした中空コンクリートスラブの施工方法と共に、集合住宅などを建てるときに広く採用されている。プレキャストコンクリート板を用いる施工方法は、重量物であるプレキャストコンクリート板を施工現場で所要階数まで揚上し、またスパン間の所定位置に設置する作業が必要であり、大形クレーンのような重機を必要とする。一方、現場打ち中空コンクリートスラブはすべて施工現場であり、大形のクレーンなどを必要としない利点がある。
【０００３】
現場打ち中空コンクリートスラブの施工では、現場打ちコンクリートの打設により軽量体である埋込材に浮力が生じ、浮き上がったり不定方向に移動してしまうことから、コンクリートを打設する前に、何らかの手段により埋込材の自由移動を規制しておくことが必要となる。
【０００４】
特許文献１（特公昭６４−９４２７号公報）には、型枠の上に下端筋を配筋した後、埋込材保持具を型枠に取り付け、該埋込材保持具により埋込材を下端筋から浮いた状態に位置決め固定し、固定された埋込材の上に適宜のスペーサを配置して、そこに上端筋を配筋し、その後、現場打ちコンクリートを打設するようにした施工方法が記載されている。この施工法では、型枠に取り付けた埋込材保持具により埋込材の自由移動を規制するようにしている。
【０００５】
特許文献２（特開平９−２５０１９６号公報）には、縦横に配脇された上端筋と下端筋によって碁盤目状に仕切られた小空間に軽量体である埋込材を配置すると共に、該埋込材が打設するコンクリートによって浮上しないように（埋込材の自由移動を規制できるように）、埋込材の下面側を下端筋側に配置した補助筋に嵌め込むようにするか、埋込材と上端筋との間に吊り下げ部材を配置した後、現場打ちコンクリートを打設するようにした施工方法が記載されている。また、特許文献３（特開２００２−２６６４５７号公報）には、同様な施工方法において、埋込材に補助筋を掛止する掛止凹部を備えた掛止具を取り付け、該掛止具を上端筋に取り付けた補助筋に掛止させることにより、埋込材の浮き上がりと回動とを同時に阻止するようにした施工方法が記載されている。
【０００６】
【特許文献１】特公昭６４−９４２７号公報
【特許文献２】特開平９−２５０１９６号公報
【特許文献３】特開２００２−２６６４５７号公報
【０００７】
【発明が解決しようとする課題】
特許文献１（特公昭６４−９４２７号公報）に記載の施工方法は、型枠に取り付けた埋込材保持具により埋込材の自由移動を規制し、かつ、スペーサにより上端筋との距離も確実に確保できるので、安定した中空コンクリートスラブを構築することができる。しかし、型枠に埋込材保持具を取り付ける作業、取り付けた埋込材保持具に対して埋込材を固定する作業など多くの現場作業が必要となる。
【０００８】
特許文献２（特開平９−２５０１９６号公報）や特許文献３（特開２００２−２６６４５７号公報）に記載される施工方法は、上端筋、下端筋に加えて補助筋を配筋する作業で必要であり、やはり現場作業が繁雑となるばかりでなく、埋込材として、吊り下げ部材（特許文献２）や掛止凹部を備えた掛止具（特許文献３）を一体に取り付けたものを用いる必要がある。さらに、この施工態様では、１つの埋込材の大きさは小さいものとなり、多数個の小さな埋込材を碁盤目の中に順次埋め込んでいく作業に多くの時間と労力が必要となる。また、現場打ちコンクリートの良好な回り込みを確保する必要から、埋込材と埋込材との間隔をあまり狭くすることはできず、結果として高い中空率を確保できない不都合がある。
【０００９】
本発明は上記のような事情に鑑みてなされたものであり、現場での施工工数を少なくでき、部品数も少なく、施工も容易であり、かつ高い中空率も確保することのできる、より改良された現場打ち中空コンクリートスラブおよびその施工方法、およびそこに用いるスペーサ兼支持具を提供することを目的とする。
【００１０】
【課題を解決するための手段】
本発明による現場打ち中空コンクリートスラブは、施工現場で型枠の上に少なくとも下端筋と埋込材と上端筋とを配置した状態で現場打ちコンクリートを打設して構築される現場打ち中空コンクリートスラブであって、埋込材の上面と上端筋との間には埋込材への差し込み体を備えたスペーサ兼支持具が介在しており、埋込材には該スペーサ兼支持具の差し込み体が差し込まれると共にスペーサ兼支持具により浮き上がりが規制されていることを特徴とする。
【００１１】
本発明は、また、上記現場打ち中空コンクリートスラブの施工方法として、埋込材の上面と上端筋との間に埋込材への差し込み体を備えたスペーサ兼支持具をその差し込み体を埋込材へ差し込んだ状態で介在させ、それにより、現場打ちコンクリートによる浮力が作用しても、埋込材の浮き上がりは規制を受け、かつスペーサ兼支持具との間で相対移動が生じないようにした後、現場打ちコンクリートを打設することを特徴とする現場打ち中空コンクリートスラブの施工方法をも開示する。
【００１２】
本発明による現場打ち中空コンクリートスラブおよびその施工方法では、埋込材にはスペーサ兼支持具の差し込み体が差し込まれ、両者は相対移動しないように一体化しており、そのスペーサ兼支持具が上端筋に対して埋込材の浮き上がりを規制した状態で介在している。従って、本発明では、前記特許文献１の方法のように「埋込材保持具」のような特別の部材を用いることなく、また、特許文献２、３の方法のように「補助筋」を別途配筋することなく、埋込材がコンクリート打設により不測に移動するのを効果的に抑制することができる。
【００１３】
下端面が平坦面であるスペーサを埋込材と上端筋との間に配置することは従来の工法で行われているが、本発明では、そのようなスペーサに代えて、下面に埋込材への差し込み体を備えたスペーサ兼支持具を用いるだけで、上記した所期の目的が達成可能であり、施工方法全体の大幅な省力化が図られる。また、用いる埋込材の大きさは、引用文献２，３のように上端筋の配筋形態に拘束されることはないので、任意の大きさの埋込材を下端筋と上端筋の間に配置することが可能であり、コンクリートスラブ全体としての中空率を大きくとることができる。
【００１４】
好ましくは、埋込材の上面側には２本以上の上端筋が配置されるようにし、埋込材の上面と上端筋との間には同一の鉄筋には支承されない少なくとも２個以上のスペーサ兼支持具が介在するようにする。この態様では、現場打ちコンクリートの打設によって埋込材に浮力が生じたときに、埋込材が不規則に移動したり水平方向に回動したりするのを一層確実に阻止することができ、コンクリートの硬化後に埋込材は予め設定した位置に確実に埋め込まれる。そのために、設計値どおりの剛性や中空率を持つ現場打ち中空コンクリートスラブを確実に得ることができる。
【００１５】
本発明の施工方法において、現場打ちコンクリートの浮力を受けても埋込材に浮き上がりが生じないように上端筋との間にスペーサ兼支持具を介在させた状態で現場打ちコンクリートを打設するようにしてもよく、現場打ちコンクリートの浮力を受けたとき埋込材が所定距離だけ浮き上がり、この後、その位置で埋込材の位置決めがなされるように上端筋の間にスペーサ兼支持具を介在させた状態で現場打ちコンクリートを打設するようにしてもよい。
【００１６】
前者の場合には、下端筋との間に所定の距離が取れるようにして、予め埋込材を上端筋に対して支持しておくことが必要であり、そのために、スペーサ兼支持具として上端筋に対する吊り下げ具を備えたものを用いることが望ましい。後者の場合には、埋込材の水平方向の自由移動が規制されるように、埋込材が浮き上がる前の姿勢で、スペーサ兼支持具の一部が上端筋と係合状態となり、その姿勢を維持したままで埋込材すなわちスペーサ兼支持具が上昇できるようにされたスペーサ兼支持具を用いることが望ましい。
【００１７】
本発明による施工方法のより好ましい態様は次のようである。最初に、建て込んだ型枠の上に適宜のスペーサを置き、そのスペーサを利用して下端筋を配筋すると共に、適宜の留め具により部分的に下端筋と型枠とを固定する。スペーサにより、スラブ下面と下端筋との間に所望の距離が確保される。その後、所望の埋込材を配置し、配置した埋込材の上面側に少なくとも２本以上の鉄筋が位置するようにして上端筋を仮配置する。
【００１８】
次に、適宜のスペーサを用い上端筋を所要高さに揚上してセットすると共に、下端筋と上端筋とを緊結具で緊結する。その状態とした後、上端筋と埋込材表面との間に上記したスペーサ兼支持具をその差し込み体を埋込材に差し込みながら取り付ける。それにより、埋込材は水平面内で不規則に移動しない状態となり、かつ、スペーサ兼支持具の形態により、上端筋から吊り下げられた状態となるか、あるいは、下端筋の上に載っているがスペーサ兼支持具の上端筋当接体と上端筋との係合により上方への移動以外の動きは規制された状態となる。その状態とした後に、現場打ちコンクリートを打設する。コンクリートの硬化後に型枠を取り外して本発明によるコンクリートスラブは完成する。
【００１９】
上記の施工方法では、前記したようにして埋込材の適切な位置決めが図られることに加えて、埋込材に作用する浮力により上端筋が位置ズレを起こすのも効果的に防いでいる。すなわち、上端筋と下端筋とを適宜の緊結具で部分的に緊結し、かつ、その状態の下端筋を型枠に部分的に固定したことにより、埋込材に作用する浮力によって上端筋が浮き上がろうとする力は、型枠により効果的に抑え込まれる。
【００２０】
本発明は、また、上記の現場打ち中空コンクリートスラブの施工方法に使用するスペーサ兼支持具として、埋込材表面に衝接する基板と、基板裏面に立設した埋込材への差し込み体と、基板上面に取り付けた上端筋当接体とを少なくとも備えるスペーサ兼支持具を開示する。上端筋当接体に上端筋への吊り下げ具を備えるようにしてもよい。スラブ用スペーサ兼支持具は金属製であってもよく、ポリエチレン、ポリプロピリンのような樹脂製品であってもよい。埋込材への差し込み体に抜け防止のための返しを設けるようにしてもよい。
【００２１】
本発明において、埋込材は発泡ポリスチレンのような合成樹脂の発泡体が好ましいが、現場打ちするコンクリートよりも比重が小さいものであれば、これに限らす既知の軽量埋込材を用いることができる。埋込材の形状や大きさは、上記の条件を満たすことを条件に、施工しようとするコンクリートスラブの設計条件に合わせて適宜選択すればよいが、施工現場で現場打ちコンクリートが裏面側に容易に回り込むことができるように、埋込体の少なくとも裏面側のコーナー部を丸みをおびた形状としておくことは好ましい。平面視での形状は矩形状が普通であるが、これに限られない。
【００２２】
【発明の実施の形態】
以下、本発明を実施の形態に基づき説明する。図１は本発明による現場打ち中空コンクリートスラブの施工途中の状態を示す斜視図であり、図２はその一部を図１の矢印方向から見て示す側面図である。図３はそこで用いるスペーサ兼支持具を示している。
【００２３】
現場打ち中空コンクリートスラブの施工に際し、最初に、合板などによりコンクリート打ち込み用の型枠１０を造る。その上に適宜のスペーサ１１を介して縦横に下端筋１２を配筋する。スペーサ１１により型枠１０と下端筋１２の間には一定の距離が確保される。その後、適宜の留め具１３を用いて、下端筋１２が上方へ移動できないように型枠１０に固定する。
【００２４】
固定された下端筋１２の上に、所要の間隔を保ちながら複数個の埋込材２０を配置する。埋込材２０は図示の例では矩形体形状であるが、中空コンクリートスラブで用いられている従来知られた任意の形状のものであってよい。埋込材２０の平面視での大きさも任意であり、施工性を考慮して適宜の大きさのものとすればよい。一例として、４００ｍｍ×４００ｍｍ×１３０ｍのような正方体形状であっもよく、４００ｍｍ×１２００ｍｍ×１３０ｍのような大きさの直方体形状であってもよい。
【００２５】
埋込材２０は例えば発泡スチロールのような発泡樹脂成形体であることが好ましいが、打設するコンクリートよりも軽いものであれば、中空の非発泡樹脂成形体、中空の金属成形体のような発泡樹脂以外の材料であってもよい。また、少なくとも裏面側のコーナー部を丸みをおびた形状としておくことは好ましい。それにより、打ち込んだ現場打ちコンクリートが埋込材２０の裏面に入り込みやすくなり、施工が容易となる。
【００２６】
配置した各埋込材２０の上に、上端筋１４を縦横に仮置きする。下端筋１２および上端筋１４のそれぞれの配筋間隔は、中空コンクリートスラブに求められる構造体の強度などを勘案して設定されるが、通常、埋込材２０の上面側に２本以上の上端筋１４が位置するようにされる。図１に示す例では、一枚の埋込材２０の上面にそれぞれ３本ずつの縦横の上端筋１４が位置している。仮置きした上端筋を適宜の上端筋用スペーサ１５を用いて所定高さにまで揚上させ、かつ、揚上した上端筋１４と下端筋１２の間に所定間隔をおいて複数の箇所に上下筋緊結具１６を取り付ける。それにより、上端筋１４と下端筋１２とは上下方向に自由に離間しないようになる。
【００２７】
次に、あるいは前記上端筋の揚上作業と平行して、下端筋１２の上に仮置きした埋込材２０の上面に、図３に示す形状のスペーサ兼支持具３０を固定する。スペーサ兼支持具３０は基板３１を有し、基板３１の裏面には複数本の差し込み体３２が形成される。差し込み体３２は埋込材２０の中に差し込まれるものであり、一部に抜け止めのための返し３３を有している。基板３１の上面には上端筋当接体３４が一体に形成される。なお、返し３３は省略してもよい。
【００２８】
上端筋当接体３４は所要の剛性を有し、上端に上端筋１４が入り込む大きさの凹窪３５を有している。また、凹窪３５の下側には、上端筋１４を把持する手段としての留めベルト３６の一端が留め付けてあり、凹窪３５の上側には該留めベルト３６の他端を係止するための係止溝３７が形成されている。なお、図示の例では、留めベルト３６はバネ鋼で作られ、その先端の屈曲部が前記係止溝３７に嵌め込まれるようになっているが、上端筋１４を把持する手段はこれに限らず、任意の手段であってよい。
【００２９】
一枚の埋込材２０にスペーサ兼支持具３０を固定する数および位置は任意であるが、図１に示すように、上端筋１４を構成する同一の鉄筋には支承されない少なくとも２個のスペーサ兼支持具３０ａ，３０ｂを一枚の埋込材２０に固定することが望ましい。所要数のスペーサ兼支持具３０を固定した後、埋込材２０を持ち上げ、その上端筋当接体３４の上端に形成した凹窪３５内に上端筋１４を入れ込み、留めベルト３６で固定する。それにより、埋込材２０は上端筋１４と下端筋１２との間の空間に、上端筋１４から吊り下げられた状態で固定される。スペーサ兼支持具３０は所要の強度を持つことを条件に、金属や合成樹脂などにより造ることができる。
【００３０】
次に、現場打ちコンクリートを打設する。コンクリートの打設により、埋込材２０に浮力が生じ上方へ移動しようとするが、スペーサ兼支持具３０に形成した上端筋当接体３４の突っ張りにより移動は阻止される。また、差し込み体３２が埋込材２０に差し込まれていることから、浮力が作用しても、埋込体２０の位置や姿勢が変化することもない。従って、現場打ちコンクリートを打設した後でも、各埋込材２０はすべて最初の位置に停止しており、設計値どおりの中空コンクリートスラブが構築される。
【００３１】
埋込材２０に作用する浮力により、上端筋１４が浮き上がろうとする。しかし、上端筋１４は上下筋緊結金具１６により下端筋１２に繋がり、下端筋１２は留め具１３により型枠１０に繋がっている。そのために、上端筋１４に埋込材２０を介して上方向への力が作用しても、位置ズレを起こすことはない。
【００３２】
図４は他の形態のスペーサ兼支持具を示している。このスペーサ兼支持具３０Ｂは、上端筋当接体３４の上端中央部に上端筋１４が乗ることのできる凹部３５ｂを有し、その両側には水平方向に広がるフランジ３４ｂ，３４ｂが形成され、各フランジ３４ｂには鈎型をなす切り溝３４ｃが形成されている。図４で、３６ｂはスペーサ兼支持具３０Ｂと共に用いるＵ字型の留め金具であり、その左右脚部の下端は水平に折れ曲がった係止部３７ｂとされている。スペーサ兼支持具３０Ｂの前記凹部３５ｂに上端筋１４が衝接した状態とし、その上から、前記留め金具３６ｂをその係止部３７ｂが鈎型をなす切り溝３４ｃを通過するようにして下降させ、係止部３７ｂがフランジ３４ｂの裏面に達した時点で、図で左手前方向に引き寄せる。それにより、留め金具３６ｂの係止部３７ｂはフランジ３４ｂの裏面で支持された状態となり、スペーサ兼支持具３０Ｂ（および埋込材２０）は、図２に示したと同様に、上端筋１４に吊り下げられた状態となる。
【００３３】
図５はスペーサ兼支持具のさらに他の形態を示している。このスペーサ兼支持具３０Ｃは、上端筋当接体３４に上端筋１４が入り込む大きさの凹溝３８を備える。上端筋当接体３４の長さは、埋込材２０を下端筋１２の上に置いた状態で、そこに固定したスペーサ兼支持具３０Ｃの上端筋当接体３４に形成した凹溝３８の上端部内に上端筋１４が入り込んだ状態となる長さとされる。また、凹溝３８の上下方向の深さは、凹溝３８の底部３９に上端筋１４が当接した状態で、埋込材２０の上面と上端筋１４との間に所要の距離が確保できる深さとされる。なお、図示の例で、スペーサ兼支持具３０Ｃは２個の上端筋当接体３４を有しているが、１個であっても差し支えない。
【００３４】
図６は、図５に示したスペーサ兼支持具３０Ｃを用いて現場打ち中空コンクリートスラブを施工する状態を説明する、図２に相当する図である。図１および図２に示す場合と同様にして、型枠１０の上に縦横に下端筋１２が配筋され、下端筋１２の上に、所要の間隔を保ちながら複数個の埋込材２０が仮置きされる。仮置きした埋込材２０の上面に差し込み体３２を差し込みながらスペーサ兼支持具３０Ｃを埋込材２０に固定する。その作業と平行して、上端筋１４を縦横に仮置きする。その際に、スペーサ兼支持具３０Ｃの上端筋当接体３４に形成した凹溝３８内に上端筋１４が入り込むようにしながら、図１に示すように、各埋込材２０の上面側に２本以上の上端筋１４が位置するよう仮置きする。次に、図１，図２の場合と同様にして、仮置きした上端筋１４を適宜の上端筋用スペーサ１５を用いて所定高さにまで揚上する。
【００３５】
この状態で現場打ちコンクリートを打設する。コンクリートの打設により、埋込材２０に浮力が生じて浮き上がる。埋込材２０はスペーサ兼支持具３０Ｃの上端筋当接体３４に形成した凹溝３８の底部３９が上端筋１４に当接するまで上昇し、そこで停止する（図６に仮想線で示される）。その位置が、当該中空コンクリートスラブでの予め予定した埋込材２０の位置であり、埋込材２０は下端筋１２および上端筋１４の双方から所定距離だけ離れた位置となる。この場合にも、スペーサ兼支持具３０Ｃはその凹溝３８に規制されながら上昇し、かつ、埋込材２０は差し込み体３２が差し込まれることによりスペーサ兼支持具３０Ｃと一体化している。そのために、浮き上がりの過程で埋込材２０が水平方向に回動することはなく、当所の姿勢を保ったままで上昇し、浮き上がった後の各埋込材２０はすべて所期どおりの場所に位置決めされる。
【００３６】
【発明の効果】
上記のように、本発明では、上端筋と埋込材との間に、埋込材への差し込み体を備えかつ埋込材の上方への移動を抑制する機能をも備えたスペーサ兼支持具を介在させたことにより、現場での施工工数を少なくでき、部品数も少なく、施工も容易であり、かつ高い中空率も確保することのできる、より改良された現場打ち中空コンクリートスラブが得られる。
【図面の簡単な説明】
【図１】本発明による現場打ち中空コンクリートスラブの施工途中での状態を示す斜視図。
【図２】本発明による現場打ち中空コンクリートスラブの一部を図１の矢印方向から見て示す側面図。
【図３】用いられるスペーサ兼支持具の一例を示す図。
【図４】用いられるスペーサ兼支持具の他の例を示す図。
【図５】用いられるスペーサ兼支持具のさらに他の例を示す図。
【図６】図５に示すスペーサ兼支持具を用いて施工した中空コンクリートスラブを示す図２に相当する図。
【符号の説明】
１０…型枠、１１…スペーサ、１２…下端筋、１３…下端筋留め具、１４…上端筋、１５…上端筋用スペーサ、１６…上下筋緊結具、２０…埋込材、３０、３０Ｂ，３０Ｃ…スペーサ兼支持具、３１…基板、３２…差し込み体、３３…返し、３４…上端筋当接体、３５…凹窪、３６…留めベルト、３７…係止溝、３８…凹溝
【図１】
2005016078.tif 000003
【図２】
2005016078.tif 000004
【図３】
2005016078.tif 000005
【図４】
2005016078.tif 000006
【図５】
2005016078.tif 000007
【図６】
2005016078.tif 000008